(57)【要約】【課題】施工現場で手摺の折れ曲がる部分を種々の角度に連結することが出来るとともに、その施工が容易で、部品点数を減らすことが可能であり、部品の製造コストや部品管理のコストが上昇せず、しかも外観が良好で意匠性に優れた手摺を提供する。【解決手段】棒状体からなる手摺棒３と、複数の手摺棒３、３・・・どうしを連結すると共に、壁面１どうしの境界部や、階段の勾配が変化する部分等で手摺に角度を設ける為に用いられるジョイント部材４とから構成される手摺２において、ジョイント部材４を、球形の球体部５１を有する球体部品５と前記球体部５１に対応する球受部６１を有する球受部品６とから構成した。【選択図】  図１
2004339876.tif 000002
【特許請求の範囲】
【請求項１】
複数の手摺棒がジョイント部材により連結されてなる手摺において、前記ジョイント部材が、球状体及び手摺棒固定部を有する球体部品と、前記球状体に対応する凹部及び手摺棒固定部を有する球受部品とから構成されていることを特徴とする手摺。
【請求項２】
ジョイント部材の球体部品及び球受部品の手摺棒固定部に手摺棒端部が嵌合する嵌合凹部が設けられている請求項１記載の手摺。
【請求項３】
手摺がブラケットにより固定されている請求項１又は２記載の手摺。
【請求項４】
手摺棒、ジョイント部材、及びブラケットが木製である請求項３記載の手摺。
【発明の詳細な説明】
【０００１】
【発明の属する技術分野】
本発明は、住宅の屋内の階段の壁面、或いは廊下の壁面等に設けられる手摺に関するものである。
【０００２】
【従来の技術】
従来から、住宅内の階段や廊下の壁面に棒状の手摺を取付けることが行われている。この手摺は、階段の傾斜した部分と踊り場の部分の境界、壁面と壁面の境界などの部分では、階段の傾斜や壁面の変化に対応して、種々の角度に折り曲げられた状態で取付けられる。
【０００３】
このような手摺の形成は、通常、手摺棒を複数準備してそれらの手摺棒をジョイント部材によって連結することで行われる。そして階段の角度が変化する位置や、壁面が変化する箇所では、連結部分に種々の角度に形成されたジョイント部材を用いて、各種の角度に折れ曲った状態の手摺が壁面に形成される。
【０００４】
従来、このような手摺は、角度を付ける為に連結部分の角度に応じて所定の角度のジョイント部材を選択し、ジョイント部材を介して手摺り棒を連結して手摺を形成していた。上記ジョイント部材は、予め所定角度（例えば直角や鈍角等）に屈曲させて形成した管状体等で形成されており、このジョイント部材の両端に手摺棒が接合されて連結されていた（例えば特許文献１参照。）。
【０００５】
【特許文献１】
特開２００１−１９３２４７号公報（第１４図）
【０００６】
【発明が解決しようとする課題】
しかしながら、上記従来の手摺の場合、ジョイント部材として予め特定の角度に形成されたものを用いる為、種々の角度に対応する為には、角度に応じた多数のジョイント部材を準備する必要がある。しかしながら、手摺の連結部分の角度は、施工現場によって多数の異なるケースが多く、そのような全ての角度に応じた多数のジョイント部材を準備することは現実的には不可能である。
【０００７】
またジョイント部材の種類が増えると、部品点数が多くなり、連結部品の製造コストが上昇し、在庫管理等の手間が増え、コストの上昇を招いてしまう。更に部品点数が多くなると、作業性が低下し、施工自体に手間がかかるという問題があった。
【０００８】
通常、手摺の開始部分或いは終端部分は、手摺棒の端部がむき出しの状態になる。そのため、手摺棒の端部を処理するのに別の部材が必要である。しかし上記従来の手摺のジョイント部材は、手摺棒同士の接続部分に用いることができても、手摺棒の端部を処理することはできなかった。
【０００９】
本発明は上記従来技術の欠点を解消するためになされたものであり、施工現場で手摺の折れ曲がる部分を種々の角度に連結することが出来るとともに、その施工が容易で、部品点数を減らすことが可能であり、部品の製造コストや部品管理のコストが上昇せず、しかも外観が良好で意匠性に優れた手摺を提供することを目的とする。
【００１０】
【課題を解決するための手段】
本発明は、
（１）複数の手摺棒がジョイント部材により連結されてなる手摺において、前記ジョイント部材が、球状体及び手摺棒固定部を有する球体部品と、前記球状体に対応する凹部及び手摺棒固定部を有する球受部品とから構成されていることを特徴とする手摺。
（２）ジョイント部材の球体部品及び球受部品の手摺棒固定部に手摺棒端部が嵌合する嵌合凹部が設けられている上記（１）記載の手摺、
（３）手摺がブラケットにより固定されている上記（１）又は（２）記載の手摺、
（４）手摺棒、ジョイント部材、及びブラケットが木製である上記（３）記載の手摺、を要旨とするものである。
【００１１】
【発明の実施の形態】
以下、本発明の実施態様について図面に基づき詳細に説明する。図１に示す態様の手摺は、住宅内の階段Ｓの壁面１に形成される手摺２である。同図に示すように手摺２は、棒状体からなる手摺棒３と、複数の手摺棒３、３・・・どうしを連結すると共に、壁面１、１どうしの境界部や、階段の勾配が変化する部分等で手摺２に角度を設ける為に用いられるジョイント部材４とから構成される。また図１に手摺２は、ブラケット７、７・・・を用いて壁面１と手摺棒３との間に間隔が形成されるように、壁面１に固定されている。
【００１２】
手摺棒２は、断面が丸形、角型、多角形などの長尺の棒状体が用いられる、長さ、太さなどは任意に選択することができる。
【００１３】
図２に示すように、本発明手摺２に用いられるジョイント部材４は、球体部品５と球受部品６とから構成される。球体部品５は球形の球体部５１及び円柱状の手摺棒固定部５２とからなり、球受部品６は前記球体部５１に対応する凹部が設けられた球受部６１及び円柱状の手摺棒固定部６２とからなる。
【００１４】
球体部５１は球の一部の領域を除いた球体として形成されている。また球受部６１は、前記した球体部５１の球の一部を除いた領域（除去領域）に対応する凹部として形成されていて、球体部５１の表面は、球受部６１の凹部内表面に、任意のいずれの表面部分でも密接するように形成されている。すなわち、球体部５１の表面の曲率と、球受部６１の凹面の曲率とがほぼ同じに形成されている。
【００１５】
また球受部品６の球受部６１は、先端が軸方向と直交する方向の切断面に沿う円形状を有する、凹部形状に形成されている。すなわち、球受部の開口部の形状が、手摺の長手方向に対して直交するような円形状である。この球体部５１の除去領域は、真球状の球の端部から所定の幅に球体を切断した部分と言える。上記所定の幅は、少なくとも球体の半径未満であることが好ましく、さらに好ましくは、球体の半径の１０〜５０％の範囲である。
【００１６】
手摺棒固定部５２、６２には、手摺棒３の端部が嵌合して連結可能に形成された嵌合凹部５３、６３が、それぞれ設けられている。手摺棒固定部５２、６２は、内部に手摺棒３の嵌合凹部５３、６３を有する筒状体として形成されている。手摺棒固定部５２、６２の直径と球体部５１の直径とは、ほぼ同じ大きさに形成するのが好ましい。これは例えば、球体部品５及び球受部品６を木の削り出しによって製造する場合に、加工が容易である。嵌合凹部５３、６３は、手摺棒３の先端を嵌め込んで抜けない程度の直径及び深さに形成されていれば良い。
【００１７】
また球体部品５は、球体部５１と手摺固定部５２との間に、直径が細くなって絞られて段部形状の装飾部５４が設けられている。また球受部品６にも同様に、球受部６１と手摺棒固定部６３との間に、直径が細くなって絞られた段部形状の装飾部６４が設けられている。
【００１８】
上記ジョイント部材４の利用方法を説明する。図３（ａ）〜（ｃ）は、図２のジョイント部材の使用例を示す説明図である。図３（ａ）は、手摺の端となる手摺棒３の端部を球体部品５の嵌合凹部５３に接合して一体化し、手摺２の端部処理を施した例である。このようにジョイント部材４は、球体部品５のみで使用して手摺棒３どうしの連結以外の用途にも利用可能である。
【００１９】
図３（ｂ）は手摺棒３、３どうしが角度を有するように、球体部品５と球受部品６を接合したものである。具体的には、手摺棒３、３どうしが作る角度が約１４０度になるように折れ曲った状態に接合した。また図３（ｃ）は、図３（ｂ）よりも角度が大きくなるように手摺棒３、３どうしの作る角度が１６０度となるように球体部５１に球受部６１を接合して一体化したものである。
【００２０】
なお、ジョイント部材４において球体部品５と球受部品６とを「接合する」との意味は、球体部５１と球受部６１の接合面において両者が当接し密着していれば良い。手摺棒が確実に固定されていればジョイント部材の球体部品５と球受部品６とは実質的に外れない程度に保持されるから、完全に固定されている必要はない。ただし必要であれば、球体部品５と球受部品６とを接着剤等で接合したり、釘等を用いて固定してもよい。
【００２１】
手摺棒３、３どうしを連結した際に、角度を持たせる場合、図３（ｂ）、（ｃ）に示す以外に、球体部５１の表面に球受部６１の凹部が密接する範囲内であれば、いずれの角度でも任意に選択できる。すなわち、図３（ｂ）、（ｃ）では図中下方向に折れ曲がるように手摺棒どうしを接合したが、手摺棒どうしを上下左右の任意の方向に任意の角度で折れ曲がるように連結することができる。なお、球体部５１の表面に球受部６１の凹部が密接する範囲とは、言換えると球体部５１の付根の部分に球受部６１の端部がぶつからない範囲である。
【００２２】
また特に図示しないが、手摺棒３、３が一直線状になるように、ジョイント部材４を連結して手摺棒３、３どうしを接合してもよい。例えば、一つの壁面の長さが手摺棒の１本の長さよりも長い場合などは、複数の手摺棒を直線状に連結して対応することができる。
【００２３】
図４は、ジョイント部材４の球受部品６の手摺棒固定部６２側に手摺棒３を接続せずに、壁面１に直接固定した例を示す。この場合、球体部品５と手摺棒３の長手方向中心軸と、球受部品６の中心軸が直交するように、球受部品６を手摺棒３に対して直角に壁面１に取付てなる。
【００２４】
すなわち図４に示すジョイント部材４の使用例は、球受部品６が手摺棒３の端部となる球体部品５の球体部５１の部分を壁面１に対し固定するものである。この球受部品６は、手摺２を壁に固定する支持部材としてブラケット７の代りに用いられるものである。このように球受部品６により手摺棒３の端部が壁面１に直接固定されることで、手摺棒３の途中をブラケットで固定するのと比較して、手摺２の先端が壁面に確実に固定される。また、手摺２の先端部と壁面１との間に空間が形成されない為、手摺２先端に衣服の袖が引っ掛ったりすることがない利点がある。
【００２５】
また図３（ｂ）、（ｃ）及び図４に示すように、球受部品６は該部品の球受部６１から嵌合凹部方向に内部を貫通する貫通孔を設け、球受部側から釘７等を貫通孔を通し手摺棒３或いは壁面１等に固定することができる。
【００２６】
手摺棒２、ジョイント部材４を構成する球体部品５及び球受部品６等の材質は、アルミニウム等の金属、木、プラスチック等が用いられ、特に限定されないが、意匠性という点からは木が質感が優れることから好ましい。
【００２７】
手摺２は手摺棒３を支持するブラケット７を介して壁面１に固定される。ブラケット７は例えば図５（ａ）、（ｂ）に示すように、手摺棒３を支持するための受台１１と、該受台１１に連接された脚部１２と該ブラケット７を壁面１に固定する為の固定部１３とからなる。受台１１の部分には手摺棒３をブラケット７に固定するための固定用釘孔１６が設けられている。固定用釘孔１６はその上から化粧ネジ１４により釘孔が隠れるように、化粧ネジ取付用のネジ孔１５の内部に設けられている。またブラケット７の固定部１３には、ブラケット７を壁面１に固定するための釘孔１７が設けられ、更に該釘孔１７の上から釘孔を覆い隠すための化粧ネジ１８取付用のネジ孔１９が設けられている。
【００２８】
壁面に手摺を取付けるには、まず壁面固定用釘孔１７から釘などを用いてブラケット７を壁面１の所定の位置に固定した後、ネジ孔１９に化粧ネジを螺合して固定用釘が隠れるようにする。次いでブラケット７の固定部に手摺棒３を載せ、手摺固定用釘孔１６から釘などを用いて手摺棒３をブラケット７に固定した後、ネジ孔１５に化粧ネジ１４を螺合して固定用釘が隠れるようにする。なお図５（ａ）、（ｂ）に示すブラケットは、受台１１の上に手摺棒３を載せて支持する形のものである。
【００２９】
図６（ａ）、（ｂ）は、ブラケットの他の例を示す。同図に示すブラケットは、手摺棒３と壁面との間に直線的に部材が配置されて設置されるものである。このブラケットは例えば手摺を水平方向に設置する際に、手摺の側面方向から支持する形となる。同図に示すように、手摺棒３と接触し支持する為に湾曲した面を持つ接触部２１、及び壁面に固定する為に表面が平滑に形成され固定用釘孔等が設けられた固定部２２とから構成される。固定部２２には図示するように、２ヶ所に釘孔２３が設けられている。釘孔２３は化粧ネジ２５により隠れるように、化粧ネジ２５の取付用のネジ孔２４の内部に設けられている。
【００３０】
またブラケット７には、手摺棒３を該ブラケットに保持する為に、固定部２２側から接触部２１に貫通する釘孔２６が設けられており、固定部２２側から釘等で手摺棒３を固定する。またブラケット７を取付る位置や、その数は認定されず、任意の位置に設置することができる。
【００３１】
図１に示す態様の手摺は、階段の壁面に取付て構成したが、壁面取付に限定されず、手摺かさ木等の上に取付る飾り手摺として構成してもよい。また手摺は、任意の水平方向、垂直方向のいずれの方向にも取付ることができる。
【００３２】
【発明の効果】
本発明手摺は、複数の手摺棒がジョイント部材により連結されてなる手摺において、前記ジョイント部材が、球状体及び手摺棒固定部を有する球体部品と、前記球状体に対応する凹部及び手摺棒固定部を有する球受部品から構成されている為、施工現場で手摺の折れ曲がる部分を１種類のジョイント部材を用いるだけで、種々の角度に連結することが出来る為、施工が容易であり作業性に優れる。
【００３３】
しかも従来の手摺りと比較して、多数の異なるジョイント部材を角度準備する必要がなく、ジョイント部材は１種類のみで済むので、部品点数を減らすことが可能であり、部品の製造コストや部品管理のコストが上昇することがない。
【００３４】
さらに本発明手摺において用いるジョイント部材は、ジョイント部材の球体部品のみを手摺棒の端部に接合して、ジョイント部材を連結用部材以外の箇所に利用可能である。また、ジョイント部材は球状体からなるため、デザイン的にも見栄えがよく意匠的な外観も優れたものである。
【図面の簡単な説明】
【図１】本発明手摺の一態様を示す説明図である。
【図２】図１の手摺のジョイント部材の各部品を示す平面図である。
【図３】（ａ）〜（ｃ）は図２のジョイント部材の使用例を示す説明図である。
【図４】図２のジョイント部材の他の使用例を示す説明図である。
【図５】ブラケットの例を示し、（ａ）は手摺を壁面に取付た状態を示す側面図であり、（ｂ）は（ａ）のブラケットの正面図である。
【図６】ブラケットの例を示し、（ａ）は手摺を壁面に取付た状態を示す側面図であり、（ｂ）は（ａ）のブラケットの正面図である。
【符号の説明】
１  壁面
２  手摺
３  手摺棒
４  ジョイント部材
５  球体部品
５１  球体部
５２  手摺棒固定部
５３  嵌合凹部
６  球受部品
６１  球受部
６２  手摺棒固定部
６３  嵌合凹部
７  ブラケット
Ｓ  階段
【図１】
2004339876.tif 000003
【図２】
2004339876.tif 000004
【図３】
2004339876.tif 000005
【図４】
2004339876.tif 000006
【図５】
2004339876.tif 000007
【図６】
2004339876.tif 000008